(57)【特許請求の範囲】
【請求項１】
紫外線を出力するブラックライトとそれを覆うセードとを含む光源部を備え、前記光源部を保持する保持アームを備え、前記光源部から投射される紫外線で対象紙面を照射し、該対象紙面に蛍光塗料にて表記された蛍光表示情報を発光させる紫外線投射装置であって、前記対象紙面を目視観察するためのフィルタであって前記対象紙面への前記紫外線の照射により前記蛍光表示情報から出る光を透過し前記蛍光表示情報以外の区域から出る光の透過を制限する特性を有する、前記蛍光表示情報のコントラストを強めるための明視フィルタを備え、前記明視フィルタを前記光源部に該光源部から迫り出すように装着したことを特徴とする紫外線投射装置。
【請求項２】
請求項１において、明視フィルタを光源部に蝶着し、前記明視フィルタを前記光源部より迫り出す位置から前記光源部に沿って閉合する位置まで回動可能としたことを特徴とする紫外線投射装置。
【請求項３】
請求項１において、保持アームを光源部に蝶着し、前記保持アームを前記光源部より延在する位置から前記光源部に沿って閉合する位置まで回動可能としたことを特徴とする紫外線投射装置。
【発明の詳細な説明】
【０００１】
【発明の属する技術分野】
本発明は紙面に蛍光塗料にて表記された蛍光表示情報の判読に好適な紫外線投射装置に関するものである。
【０００２】
【従来の技術】
紙面に蛍光塗料にて文字・文様・記号等の適宜の情報を表記することがある。蛍光塗料が透明である場合は通常はそれは見えない。蛍光塗料が不透明であっても紙面と近似同色の場合は判読が困難である。紙面に紫外線を投射すると、蛍光表示情報の蛍光体が奨起し発光するので、判読は容易になる。
しかし、その発光色が紙面と近似同色である場合は鮮明には見えない。また、紙面が蛍光性漂白面である場合は紫外線を受けてそこも発光するので、相対的に輝度対比が小さくなり、鮮明度は低下する。
【発明が解決しようとする課題】
一般に、蛍光表示情報を読み取る場合は、それが表記された紙面に紫外線を投射するが、単にそれだけでは判読が困難な場合がある。それは紫外線を受けて発光する蛍光表示情報とその周囲とのコントラスト（色調対比・輝度対比）が低い場合である。
本発明の目的は、蛍光塗料にて蛍光表示情報が表記された対象紙面に紫外線を投射し、またそれによって光る蛍光表示情報の判読に好適な紫外線投射装置を提供することである。
【０００３】
【課題を解決するための手段】
本発明装置は対象紙面に紫外線を照射し、該対象紙面に蛍光塗料にて表記された蛍光表示情報を発光させ、かつ判読するための紫外線投射装置である。
本発明装置は紫外線を出力するブラックライトとそれを覆うセードとを含む光源部を備える。また、前記光源部を保持する保持アームを備える。
さらに前記対象紙面を目視観察するためのフィルタであって前記蛍光表示情報のコントラストを強めるための明視フィルタを備える。この明視フィルタを前記光源部に該光源部から迫り出すように装着する。
明視フィルタの役割は蛍光表示情報（たとえば記号）から出る光を効率よく透過し、蛍光表示情報周囲の対象紙面から出る光（反射光ないしは蛍光）の透過を制限することである。それによって、蛍光表示情報のコントラストを高めることである。
【０００４】
【発明の実施の形態】
図１〜図６を用いて本発明の実施形態について説明する。本発明は明視フィルタ付の紫外線投射装置である。本発明装置は紫外線Ｌ１を出力するブラックライト１２とそれを覆うセード１３とを含む光源部１０を備える。光源部１０を保持する保持アーム２０を備える。
本発明装置は光源部１０から投射される紫外線Ｌ１で、対象紙面９０を照射し、該対象紙面９０に蛍光塗料にて表記された蛍光表示情報９２を発光させる。
本発明装置は対象紙面９０を目視観察するためのフィルタであって蛍光表示情報９２のコントラストを強めるための明視フィルタ３０を備える。この明視フィルタ３０を光源部１０に該光源部１０から迫り出すように装着する。
図示の実施形態においては、明視フィルタ３０を光源部１０に回動可能なように蝶着する。図１〜図３の明視フィルタ３０は光源部１０より迫り出す位置にある。図６の明視フィルタ３０は光源部１０に沿って閉合する位置にある。その両者の範囲内において回動可能である。図１〜図３は本発明装置の使用時の状態であり、図６は不使用時の保管状態ないしは梱包状態である。
図示の実施形態においては、保持アーム２０を光源部１０に回動可能なように蝶着する。図１〜図３の保持アーム２０は光源部１０より延在する位置にある。図６の保持アーム２０は光源部１０に沿って閉合する位置にある。その両者の範囲内において回動可能である。
光源部１０はソケット１１・ブラックライト１２・セード１３・部品ケース１４・回路部品１５・反射板１６を含む。ソケット１１はブラックライト１２を着脱自在に装着する。ブラックライト１２は直管形放電灯であり、紫外線を出力する。セード１３はブラックライト１２を上側から覆う半円逆樋状のものである。部品ケース１４にはブラックライト１２を点灯するための回路部品１５を収納する。１７は部品ケース１４から排出する電源コードである。回路部品１５によって形成される点灯回路はブラックライト１２を４５ｋＨｚの点灯周波数で点灯させるインバータ形放電灯点灯回路である。それは高周波点灯回路であり、蛍光表示情報９２の紫外線Ｌ１投射にともなう発光にちらつき感を与えない。セード１３・部品ケース１４は共に合成樹脂製であり、まとめて一体に形成される。１６はセード１３内面に貼着されたアルミニウム製の薄板状の反射板である。反射板１６は下向き指向の配光特性を強める。
保持アーム２０は光源部１０を机上面上に保持する。図示の保持アーム２０はいわゆるスタンドであるが、机上面近傍の壁面等に係合する方式であってもよい。図示のスタンド形の保持アーム２０は、太目の針金を適宜に曲成したものであり、その両端部２２は光源部１０における部品収納ケース１４に予め形成された軸受穴に回動自在に装着される。１９は部品収納ケース１４に一体に形成された係合部であり、保持アーム２０の途中を着脱自在に係合する。着の状態であれば、保持アーム２０の勝手な回動は阻止される。係合部１９の弾力性に抗して脱の状態とすれば、保持アーム２０の姿勢を変えてたとえば図６の状態とすることができる。
明視フィルタ３０は合成樹脂製の薄板であり、対象紙面９０の蛍光表示情報９２から出る光（蛍光）Ｌ２を透過する。明視フィルタ３０を透過した光Ｌ２は人１００の目に届き、それにより蛍光表示情報９２を目視判読する。明視フィルタ３０は対象紙面９０（ただし、蛍光表示情報９２以外の区域）から出る光Ｌ３をも透過する。光Ｌ３は反射光であり、対象紙面９０が蛍光性の漂白面である場合は蛍光を含む。相対的には明視フィルタ３０は光Ｌ２を良好に透過し、余分な光Ｌ３の透過を制限する特性のものである。蛍光表示情報９２の明視の条件は蛍光表示情報９２のその周囲に対する輝度対比を高め、あるいは色調対比を高めることである。かくして、そのコントラストを高め、明視を可能とする。
透明な蛍光塗料は既知であり、それによって描かれた蛍光表示情報９２は奨起発光してオレンジ色に光って見える。対象紙面９０におけるその余の蛍光性漂白面は青く光って見える。この場合にはオレンジ色の明視フィルタ３０を選択する。それを通して対象紙面９０を目視する。蛍光表示情報９２から出るオレンジ色の光（オレンジ色に見せる光）Ｌ２は明視フィルタ３０を良好に透過し、その周囲の蛍光性漂白面から出る青色の光（青色に見せる光）Ｌ３の透過を制限する。明視フィルタ３０を介して対象紙面９０を観察すると、蛍光表示情報９２はオレンジ色に光って見え、その周囲は黒ずんで見える。かくして、蛍光表示情報９２の明視が可能となる。
明視フィルタ３０はその一辺に沿って配置された支軸部３２を持ち、支軸部３２両端はヤード１３の内面側に形成された軸受部１３２に回動可能なように蝶着される。明視フィルタ３０は軸受部１３２に対して適度の回動摩擦を持ち、手を離せばそのときの姿勢で静止する。摩擦に抗して回動させれば姿勢を加減することができる。
本発明装置の使用要領は図１の通りである。ブラックライト１２を点灯させると、光源部１０から紫外線Ｌ１が出る。それを机上面上の適宜の箇所に配置した対象紙面９０で受ける。明視フィルタ３０を適宜の傾きに保持し、明視フィルタ３０を介して対象紙面９０を目視する。対象紙面９０に蛍光塗料で表記された蛍光表示情報９２は紫外線Ｌ１を受けて発光する。その光Ｌ２は明視フィルタ３０を介して人１００の目に届く。対象紙面９０の蛍光表示情報９２周囲から出る光Ｌ３も明視フィルタ３０を介して目に届くが、明視フィルタ３０に光Ｌ２を相対的に強め、余分な光Ｌ３を相対的に弱める作用があるために、蛍光表示情報９２の明視が可能となり、それを容易に判読することができる。
光源部１０から出る紫外線Ｌ１を対象紙面９０に近似垂直（紙面９０に対してほぼ垂直）に投射すると、蛍光表示情報９２から近似垂直（紙面に対してほぼ垂直）に出る光Ｌ２は光源部１０近傍を通過する。そこに光Ｌ２の最大光度を形成する。光源部１０から迫り出すように配置された明視フィルタ３０はその強い光Ｌ２を透過し、蛍光表示情報９２の明視を可能とする。
不使用時には光源部１０から迫り出す配置の明視フィルタ３０は邪魔になる。保持アーム２０も邪魔になる。その場合は明視フィルタ３０ないしは保持アーム２０を光源部１０に沿って図６のごとく閉合する姿勢に回動させ、コンパクトにまとめて保管し、あるいは梱包する。
【０００６】
【発明の効果】
本発明装置は所要の明視フィルタを所要の光源部から迫り出すように配置したものである。これによれば、蛍光塗料で表記された蛍光表示情報を簡単かつ容易に判読することが可能となる。
また、明視フィルタをあるいは保持アームを光源部に沿って閉合する位置まで回動可能としたので、不使用時にはコンパクトにまとまり、使い勝手がよい。
【図面の簡単な説明】
【図１】  本発明装置を示す斜視図である。
【図２】  同装置の側面図である。
【図３】  同装置の側面断面図である。
【図４】  同装置の部分拡大斜視図である。
【図５】  同装置の局部拡大断面図である。
【図６】  同装置の保管時における側面図である。
【符号の説明】
１０：光源部、１２：ブラックライト、１３：セード、１４：部品ケース、１６：反射板、１９：係合部、２０：保持アーム、２２：両端部、３０：明視フィルタ、３２：支軸部、Ｌ１：紫外線、Ｌ２：光
【図１】
0003959804.tif 000002
【図２】
0003959804.tif 000003
【図３】
0003959804.tif 000004
【図４】
0003959804.tif 000005
【図５】
0003959804.tif 000006
【図６】
0003959804.tif 000007